(57)【要約】【課題】津波の襲来後、人々が避難ステージ上で救助を待つ間に風雨をしのげるよう、容易に簡易壁を設置することを可能とする。【解決手段】複数の柱と、柱の間に架け渡された梁と、梁により支持される避難ステージと、避難ステージへの昇降手段と、を備える津波避難タワー。避難ステージは、津波の到達予想高さよりも高い位置にある最上階避難ステージと、その下層にある中層階避難ステージと、最上階避難ステージと中層階避難ステージとの間において、柱の間に水平方向に架け渡された上部吊張手段と下部吊張手段と、を備え、津波襲来後に、上部吊張手段および下部吊張手段に連結部材が着脱可能に連結されるとともに、連結部材を介して上部吊張手段および下部吊張手段に簡易壁が着脱可能に取り付けられる。【選択図】図１
2014047541.tif 000002
【特許請求の範囲】
【請求項１】
間隔をあけて立設された複数の柱と、前記複数の柱の間に架け渡された梁と、前記梁により支持される避難ステージと、前記避難ステージへの昇降手段と、
を備える津波避難タワーであって、
前記避難ステージは、最上階に設けられ、津波の到達予想高さよりも高い位置にある最上階避難ステージと、前記最上階避難ステージより下層にある中層階避難ステージと、
前記最上階避難ステージと前記中層階避難ステージとの間において、前記複数の柱の間に水平方向に架け渡された上部吊張手段と、前記上部吊張手段の下方で前記複数の柱の間に水平方向に架け渡された下部吊張手段と、を備え、
津波襲来後に、前記上部吊張手段および前記下部吊張手段に連結部材が着脱可能に連結されるとともに、前記連結部材を介して前記上部吊張手段および前記下部吊張手段に簡易壁が着脱可能に取り付けられる、
ことを特徴とする津波避難タワー。
【請求項２】
前記上部吊張手段および前記下部吊張手段は線条体であり、前記連結部材は前記上部吊張手段および前記下部吊張手段に対して滑動可能に取り付けられることを特徴とする請求項１記載の津波避難タワー。
【請求項３】
前記上部吊張手段および前記下部吊張手段は、上記梁から突出し、複数の取付孔が設けられた部材であることを特徴とする請求項１記載の津波避難タワー。
【請求項４】
前記連結部材は、略Ｃ字状の嵌め入れ部と、前記嵌め入れ部に回動可能に連結し前記嵌め入れ部の開口部を閉塞する閉塞部と、を備えることを特徴とする請求項２または３記載の津波避難タワー。
【請求項５】
間隔をあけて立設された複数の柱と、前記複数の柱の間に架け渡された梁と、前記梁により支持される避難ステージと、前記避難ステージへの昇降手段と、
を備え、
前記避難ステージは、最上階に設けられ、津波の到達予想高さよりも高い位置にある最上階避難ステージと、前記最上階避難ステージより下層にある中層階避難ステージと、
前記最上階避難ステージと前記中層階避難ステージとの間において、前記複数の柱の間に水平方向に架け渡された上部吊張手段と、前記上部吊張手段の下方で前記複数の柱の間に水平方向に架け渡された下部吊張手段と、を有して構成される津波避難タワーへの簡易壁の設置方法であって、
津波の襲来前には、前記上部吊張手段および前記下部吊張手段に着脱可能に連結される連結部材と、前記連結部材を介して前記上部吊張手段および前記下部吊張手段に着脱可能に取り付けられる簡易壁とを、前記最上階避難ステージ上に収納しておく収納工程と、
津波の襲来後には、前記簡易壁を、前記連結部材を介して前記上部吊張手段および前記下部吊張手段に着脱可能に取り付けることで、前記最上階避難ステージと前記中層階避難ステージとの間に簡易壁を設置する設置工程と、
を有することを特徴とする簡易壁の設置方法。
【発明の詳細な説明】
【技術分野】
【０００１】
本発明は、地域住民が津波から避難するために津波想定高さよりも高い位置に避難ステージが設けられた津波避難タワーであって、津波の襲来後、人々が避難ステージ上で救助を待つ間に風雨をしのげるよう、容易に簡易壁を設置することのできる津波避難タワーおよび簡易壁の設置方法に関するものである。
【背景技術】
【０００２】
津波が襲来した際に住民が避難する施設として設けられる津波避難タワーは、津波の押し波及び引き波による影響を最小限のものにするため、一般的に外壁を設けず、主に柱、梁、津波の到達予想高さよりも高い位置に設けられた避難ステージ、当該避難ステージからの転落防止のための手摺りおよび避難ステージまで登るための階段等により構成されている。
【０００３】
津波が襲来した際、住民は津波避難タワーの避難ステージまで登ることで難を逃れることができる。しかし、地上部分は津波の襲来による押し波と、増水した水が海へ戻る引き波とにより大きな被害を受けることになる。そして、津波が去った後の地上は土砂やガレキが大量に散乱し、救助されるまで地上で待機することは困難な状況になる。そのため、津波避難タワーに避難した人は、救助までの間を津波避難タワーで過ごすことになる。
【０００４】
上記事情から津波避難タワーは、救助されるまでの一晩から数日間を過ごす重要な施設となる。しかし、津波避難タワーの構造は、上述したように津波に耐えることを最重視し、津波の波圧や漂流物の影響を極力低減することを優先して設計されているため、常設の壁を設けない構造となっている。
【０００５】
津波避難タワーの避難ステージは、ある程度地上から高さがあるため、地上よりも強い風が吹き付ける。そして、津波避難タワーには常設の壁が設けられていないため、強風が横方向に吹き抜けることになる。たとえ上層階の床が屋根になる中層階で避難待機した場合であっても、壁が無いため中層階の避難ステージに対して横方向に吹き抜ける風雨を遮ることができず、津波避難タワーの居住性は劣悪なものとなり、一晩から数日間過ごすのは困難な環境となる。
【０００６】
このため、津波避難タワーに避難した住民を風雨から保護する技術として、避難ステージの下にある中層階の周囲に進退可能に布や板を張り巡らせた風防装置が近年において提案されている（特許文献１参照）。
【０００７】
この風防装置は常設されていて、避難ステージに対して水平方向または垂直方向に沿って互いに平行に設けられた溝を有する２本のレールと、このレールの溝に係合しながら転動するローラと、ローラに連結された布又は板等の風防壁とを有している。風防壁は、通常は折り畳まれる、又は丸められるといった収納状態にある。そして、風防装置の使用時には、カーテンレールに沿いカーテンを開くようにして、風防壁が引き出され、中層階に滞在している避難住民を風雨から保護することができる。
【先行技術文献】
【特許文献】
【０００８】
【特許文献１】特開２００６−１１２０８７号公報
【発明の概要】
【発明が解決しようとする課題】
【０００９】
しかし、特許文献１に記載されている風防装置では、風防壁は津波避難タワーに常設されているため、津波の波圧や漂流物により破壊されることが想定される。また、レールの溝にローラを係合させるような構造では、津波発生まで数十年間海風にさらされた場合、腐食や塩ガミによる固着で装置が劣化し、実際に津波が発生した際に可動不能になることが想定される。
【００１０】
そこで、本発明は、上述した問題点に鑑みて案出されたものであり、通常は収納され津波襲来時に津波等の影響を受けず、津波が去った後津波避難タワーに避難した住民が救助までの間を津波避難タワーで過ごす際には雨や風をしのぐため容易に設置可能な簡易壁を備える津波避難タワーを提供することを目的とする。
【課題を解決するための手段】
【００１１】
本発明者は、上述した課題を解決するために、津波が襲来した後、避難住民が救助を待つ際に容易に簡易壁を設置することのできる津波避難タワーおよび簡易壁の設置方法を発明した。
【００１２】
本発明の請求項１に係る津波避難タワーは、間隔をあけて立設された複数の柱と、前記複数の柱の間に架け渡された梁と、前記梁により支持される避難ステージと、前記避難ステージへの昇降手段と、を備える津波避難タワーであって、前記避難ステージは、最上階に設けられ、津波の到達予想高さよりも高い位置にある最上階避難ステージと、前記最上階避難ステージより下層にある中層階避難ステージと、前記最上階避難ステージと前記中層階避難ステージとの間において、前記複数の柱の間に水平方向に架け渡された上部吊張手段と、前記上部吊張手段の下方で前記複数の柱の間に水平方向に架け渡された下部吊張手段と、を備え、津波襲来後に、前記上部吊張手段および前記下部吊張手段に連結部材が着脱可能に連結されるとともに、前記連結部材を介して前記上部吊張手段および前記下部吊張手段に簡易壁が着脱可能に取り付けられる、ことを特徴とする。
【００１３】
本発明の請求項２に係る津波避難タワーは、請求項１記載の津波避難タワーであって、前記上部吊張手段および前記下部吊張手段は線条体であり、前記連結部材は前記上部吊張手段および前記下部吊張手段に対して滑動可能に取り付けられることを特徴とする。
【００１４】
本発明の請求項３に係る津波避難タワーは、請求項１記載の津波避難タワーであって、前記上部吊張手段および前記下部吊張手段は、上記梁から突出し、複数の取付孔が設けられた部材であることを特徴とする。
【００１５】
本発明の請求項４に係る津波避難タワーは、請求項２または３記載の津波避難タワーであって、前記連結部材は、略Ｃ字状の嵌め入れ部と、前記嵌め入れ部に回動可能に連結し前記嵌め入れ部の開口部を閉塞する閉塞部と、を備えることを特徴とする。
【００１６】
本発明の請求項５に係る簡易壁の設置方法は、間隔をあけて立設された複数の柱と、前記複数の柱の間に架け渡された梁と、前記梁により支持される避難ステージと、前記避難ステージへの昇降手段と、を備え、前記避難ステージは、最上階に設けられ、津波の到達予想高さよりも高い位置にある最上階避難ステージと、前記最上階避難ステージより下層にある中層階避難ステージと、前記最上階避難ステージと前記中層階避難ステージとの間において、前記複数の柱の間に水平方向に架け渡された上部吊張手段と、前記上部吊張手段の下方で前記複数の柱の間に水平方向に架け渡された下部吊張手段と、を有して構成される津波避難タワーへの簡易壁の設置方法であって、津波の襲来前には、前記上部吊張手段および前記下部吊張手段に着脱可能に連結される連結部材と、前記連結部材を介して前記上部吊張手段および前記下部吊張手段に着脱可能に取り付けられる簡易壁とを、前記最上階避難ステージ上に収納しておく収納工程と、津波の襲来後には、前記簡易壁を、前記連結部材を介して前記上部吊張手段および前記下部吊張手段に着脱可能に取り付けることで、前記最上階避難ステージと前記中層階避難ステージとの間に簡易壁を設置する設置工程と、を有することを特徴とする。
【発明の効果】
【００１７】
上述した請求項１に係る発明によれば、通常は簡易壁を収納しておくとともに、津波が去った後に簡易壁を容易に設置することができる。そのため、津波発生時には簡易壁が津波による影響を受けることを効果的に防止するとともに、津波が去った後は津波避難タワーに避難した住民が簡易壁を容易に設置することができ、風雨をしのぐことができる。
【００１８】
また、上述した請求項２に係る発明によれば、連結部材を上部吊張手段および下部吊張手段に対して滑動可能に取り付けられるため、簡易壁が水平方向にスライド可能となる。これにより避難壁の開放の程度を調節することができるため、使用時の通風や採光の状態を調節することができ、避難した住民の居住性を向上することができる。
【００１９】
また、上述した請求項３に係る発明によれば、上部吊張手段および下部吊張手段は梁に設けられた部材であるため、上部吊張手段および下部吊張手段を長く設けた場合でも、これらが弛むことがない。また、上部吊張手段および下部吊張手段に取り付けられた簡易壁が風雨を受けることで水平方向にずれることを効果的に防止することができる。
【００２０】
また、上述した請求項４に係る発明によれば、嵌め入れ部の開口部を閉塞する閉塞部を備えることで、上部吊張手段および下部吊張手段からの連結部材の脱落を効果的に防止することができる。
【００２１】
また、上述した請求項５に係る発明によれば、通常は簡易壁を収納しておくとともに、津波が去った後に簡易壁を容易に設置することができる。そのため、津波発生時には簡易壁が津波による影響を受けることを効果的に防止するとともに、津波が去った後は津波避難タワーに避難した住民が簡易壁を容易に設置することができ、風雨をしのぐことができる。
【図面の簡単な説明】
【００２２】
【図１】本発明の実施形態に係る津波避難タワーを示す正面図である。
【図２】本発明の実施形態に係る津波避難タワー本体を示す正面図である。
【図３】本発明の実施形態に係る津波避難タワーの簡易壁を示す正面図である。
【図４】本発明の実施形態に係る津波避難タワーの連結部材を示す正面図である。
【図５】本発明の実施形態に係る津波避難タワーにおいて、簡易壁が棒鋼に取り付けられた状態を示す正面図である。
【図６】本発明に係る津波避難タワーの変形例を示す正面図である。
【図７】図６の変形例に係る津波避難タワーにおいて、簡易壁の上下の開放が調節される様子を示す正面図である。
【図８】本発明の実施形態に係る津波避難タワーにおいて用いられる線条体としての異径棒鋼を示す正面図である。
【図９】本発明の実施形態に係る津波避難タワーの棒鋼に支持部材が設けられた様子を示す正面図である。
【図１０】本発明の変形例に係る津波避難タワーにおいて用いられる、上部吊張手段および下部吊張手段としての、複数の取付孔が形成されたＬ字鋼を示す正面図である。
【発明を実施するための形態】
【００２３】
以下、本発明の実施の形態に係る津波避難タワーについて詳細に説明する。
【００２４】
図１は、本実施形態に係る津波避難タワー１を示す正面図、図２は津波避難タワー本体２を示す正面図である。
【００２５】
図１に示すように、津波避難タワー１は、タワー本体２と、タワー本体２に取り付けられた簡易壁３ａ、３ｂとにより構成されている。なお、本発明においては、津波避難タワー１の各側面について任意の数の簡易壁３を取り付けることができるが、本実施形態においては、津波避難タワー１の正面に位置する２枚の簡易壁３ａ、３ｂのみについて説明する。
【００２６】
タワー本体２は、図１および図２に示すように、地面から垂直方向に立設された複数の柱２１ａ、２１ｂと、柱２１ａ、２１ｂの間に架け渡された複数の梁２２ａ、２２ｂと、梁２２ｂにより支持されて最上階に設けられる最上階避難ステージ２３と、最上階避難ステージ２３に設けられた転落防止のための柵２５ｂと、最上階避難ステージ２３より下層にあり梁２２ａにより支持される中層階避難ステージ２４と、中層階避難ステージ２４に設けられた転落防止のための柵２５ａと、地面から中層階避難ステージ２４への昇降階段２８ａと、中層階避難ステージ２４から最上階避難ステージ２３への昇降階段２８ｂと、最上階避難ステージ２３に設けられた収納庫２９と、を有している。
【００２７】
なお、本発明においては任意の数の柱２１ａ、２１ｂと梁２２ａ、２２ｂとを設けることができるが、本実施形態においては、津波避難タワー１の正面に位置する２つの柱２１ａ、２１ｂと、同じく津波避難タワー１の正面に位置する２つの梁２２ａ、２２ｂのみについて説明する。
【００２８】
さらに、タワー本体２は、最上階避難ステージ２３と中層階避難ステージ２４との間において、線条体であり、複数の柱２１ａ、２１ｂの間に水平方向に架け渡された上部吊張手段としての棒鋼２７ｂと、この棒鋼２７ｂの下方で複数の柱の間に水平方向に架け渡された下部吊張手段としての棒鋼２７ａと、を有している。
【００２９】
柱２１ａ、２１ｂは、最上階避難ステージ２３および中層階避難ステージ２４を地上の所定の高さに支持するためのものであり、地面に設けられた図示せぬ基礎上に設置されている。柱２１ａ、２１ｂの高さは、少なくとも最上階避難ステージ２３が、好ましくは最上階避難ステージ２３および中層階避難ステージ２４が津波の想定高さ以上の高さに位置するように設定される。
【００３０】
なお、図１および図２において、柱は２１ａ、２１ｂの２つのみ図示されているが、本発明においてはこれに限らず、最上階避難ステージ２３および中層階避難ステージ２４を安定的に支持するため、３本以上であれば任意の数の柱を設けることができ、最上階避難ステージ２３および中層階避難ステージ２４の面積や重量に応じて増減してもよい。
【００３１】
梁２２ａ、２２ｂ、は、柱２１ａ、２１ｂの柱間に溶接等により固定されて架け渡されている。この梁２２ａ、２２ｂ上に最上階避難ステージ２３および中層階避難ステージ２４が設けられている。
【００３２】
なお、図１において、２つの梁２２ａ、２２ｂのみが図示されている。しかし、本発明においてはこれに限らず、最上階避難ステージ２３および中層階避難ステージ２４を安定的に保持するため、各ステージを少なくとも２本以上の梁を用いて支持する構成であれば任意の数の梁を設けることができる。梁２２ａ、２２ｂの数は、最上階避難ステージ２３および中層階避難ステージ２４の面積や重量に応じて増減してもよい。
【００３３】
最上階避難ステージ２３は、津波の襲来時に住民が避難するためのステージであり、津波の想定高さ以上の高さにおいて、梁２２ｂおよび梁２２ｂと同じ高さにある図示せぬ他の３本の梁２２の、計４本の梁２２により支持されている。最上階避難ステージ２３の高さは、津波の想定高さよりも高い位置に設けられている。また、津波が去った後は、後述する中層階避難ステージ２４に対する屋根として機能し、中層階避難ステージ２４上に滞在する人を日光や雨から保護する。
【００３４】
最上階避難ステージ２３の周辺部には、最上階避難ステージ２３から避難住民が転落することを防止するため、柵２５ｂが設けられている。
【００３５】
また、最上階避難ステージ２３上には、収納庫２９が設けられている。この収納庫２９内には、津波避難タワー１に避難している避難住民が救助を待つまでの間に使用する寝具や非常食等の他、後述する簡易壁３ａ、３ｂやカラビナ３２等の収納物が収納されている。この収納庫２９は、津波の到達予想高さよりも高い位置にあるため、津波の襲来時に収納庫２９が津波によりさらわれることはなく、また、収納庫２９内部の収納物を長年風雨から保護することができ、内容物の破損や劣化を効果的に防止することができる。
【００３６】
中層階避難ステージ２４は、津波の来襲後に住人が救助を待つ間滞在するためのステージである。この中層階避難ステージ２４は、必ずしも津波の想定高さ以上の位置に設けられる必要はなく、津波襲来時に津波が通過する高さであっても良い。中層階避難ステージ２４は、梁２２ａおよび梁２２ａと同じ高さにある図示せぬ他の３本の梁２２の、計４本の梁２２により支持されている。なお、本実施形態においては中層階避難ステージ２４は１層のみ設けられているが、本発明においてはこれに限らず、複数層の中層階避難ステージ２４を設けてもよい。
【００３７】
中層階避難ステージ２４の周辺部には、中層階避難ステージ２４から避難住民が転落することを防止するため、柵２５ａが設けられている。
【００３８】
上述した中層階避難ステージ２４および最上階避難ステージ２３への昇降は、昇降手段としての階段２８ａ、２８ｂを介して行われる。階段２８ａは、地面から中層階避難ステージ２４への昇降に利用され、階段２８ｂは中層階避難ステージ２４から最上階避難ステージ２３への昇降に利用される。
【００３９】
また、本実施形態に係る津波避難タワー１の各側面であって、最上階避難ステージ２３と中層階避難ステージ２４との間には、柱２１ａ、２１ｂの間に水平方向に架け渡された棒鋼２７ｂと、棒鋼２７ｂの下方で柱２１ａ、２１ｂの間に水平方向に架け渡された棒鋼２７ａとが設けられている。
【００４０】
なお、本実施形態においては棒鋼２７ａ、２７ｂが用いられているが、本発明においてはこれに限らず、棒鋼２７ａ、２７ｂの代替としてワイヤーを用いてもよい。
【００４１】
そして、この棒鋼２７ａ、２７ｂに対して、簡易壁３ａ、３ｂが、連結部材３２を介して着脱可能に取り付けられている。なお、図１において簡易壁は３ａ、３ｂの２枚のみ示されているが、本発明においてはこれに限らず、タワー本体２の各側面において、任意の枚数を設けることができる。簡易壁３の数は、中層階避難ステージ２４の面積や、風雨をさえぎりたい程度に応じて増減してもよい。
【００４２】
図３は、簡易壁３を示す正面図である。簡易壁３ａ、３ｂは、図３に示すように、壁本体３１ａ、３１ｂと、壁本体３１ａ、３１ｂの上下の辺に沿いそれぞれ一列に設けられた取付孔３３ａ、３３ｂと、を有して構成されている。簡易壁３ａ、３ｂは、収納に便利なシート状であって、非使用時には上述した収納庫２９に折り畳まれる等して収納される。そして、使用時には、簡易壁３ａ、３ｂは、収納庫２９から取り出され、広げられるとともに、棒鋼２７ｂおよび棒鋼２７ａに連結部材３２を介して取り付けられる。
【００４３】
壁本体３１ａ、３１ｂは、風雨を通さない素材からなるものであれば、市販の樹脂製シート等を好適に用いることができる。
【００４４】
取付孔３３ａ、３３ｂは、壁本体３１ａ、３１ｂに設けられた貫通孔であり、カラビナ３２の後述する嵌め入れ部３２１を貫通しうる径を有している。この取付孔３３ａ、３３ｂの内周縁は、円環状の金属等で補強されていることが好ましい。
【００４５】
図４は、簡易壁３ａ、３ｂと棒鋼２７ａ、２７ｂとを連結する際に使用される連結部材３２を示す正面図である。本実施形態においては、連結部材３２として、カラビナ３２が用いられている。
【００４６】
カラビナ３２は、一部が開放された略Ｃ字状の嵌め入れ部３２１を、軸３２３を介して回動可能に取り付けられた閉塞部３２２により開閉することで、図４（Ａ）に示す閉塞状態と、図４（Ｂ）に示す開放状態をとることが可能となっている。
【００４７】
図５は、簡易壁３が棒鋼２７に取り付けられた状態を示す正面図である。
【００４８】
図５（Ａ）に示すような開放状態において、嵌め入れ部３２１の開口幅は、棒鋼２７ｂおよび棒鋼２７ａの直径よりも広く設けられている。また、カラビナ３２の閉塞状態における内径は、棒鋼２７ｂおよび棒鋼２７ａの直径に、簡易壁３ａ、３ｂの取付孔３３ａ、３３ｂから直近にある壁本体３１ａ、３１ｂの辺までの距離を足した長さよりも十分に大きく設けられている。
【００４９】
そのため、図５（Ａ）および（Ｂ）に示すように、簡易壁３ａ、３ｂを、カラビナ３２を介して棒鋼２７ｂおよび棒鋼２７ａに取り付けることで、簡易壁３ａ、３ｂを水平方向にスライドさせることができ、簡易壁３ａ、３ｂの使用時の通風や採光の状態を調節することができる。
【００５０】
図６は、本発明に係る津波避難タワー１の変形例を示す正面図である。本変形例においては、津波避難タワー１の各側面であって、最上階避難ステージ２３と中層階避難ステージ２４との間には、上述した棒鋼２７ｂと棒鋼２７ａとに加えて、棒鋼２７ｂと棒鋼２７ａとの間においてこれらに水平に、更に２本の中央部吊張手段としての棒鋼２７ｃ、２７ｄが設けられている。
【００５１】
図７は、変形例に係る津波避難タワー１において、簡易壁３ａ、３ｂの上下の開放が調節される様子を示す正面図である。本変形例において、簡易壁３ａ、３ｂは、カラビナ３２の取り付け位置に応じて、図７（Ａ）〜図７（Ｃ）の３つの開放状態をとることができる。
【００５２】
図７（Ａ）に示すように、簡易壁３ａ、３ｂを棒鋼２７ｂと棒鋼２７ａに取り付けることにより、簡易壁３ａ、３ｂが最大限に広げられた状態となる。
【００５３】
また、図７（Ｂ）に示すように、簡易壁３ａ、３ｂを棒鋼２７ｄと棒鋼２７ａに取り付けることにより、簡易壁３ａ、３ｂの上部が開放された状態となる。
【００５４】
また、図７（Ｃ）に示すように、簡易壁３ａを棒鋼２７ｂと棒鋼２７ｃに取り付けることにより、簡易壁３ａの下部が開放された状態となる。
【００５５】
なお、本変形例においても、簡易壁３ａ、３ｂを水平方向にスライドさせることができる。そのため、本変形例に係る津波避難タワー１によると、上下方向だけでなく、左右方向の開放の程度も調整することができ、使用時の通風や採光の状態を更に細かく調節することができる。
【００５６】
上述したように、本発明に係る津波避難タワー１によると、使用状態に無い簡易壁３は津波が到達しない場所に収納されているため、津波襲来時に津波が中層階避難ステージ２４を通過した場合でも、簡易壁３が津波等の影響を受けて破損することを効果的に防止することができる。また、簡易壁３が津波の力を受けないため、当該力が津波避難タワー１自体に伝わり、津波避難タワー１が破損することも効果的に防止することができる。
【００５７】
また、津波が去った後は、簡易壁３を容易に設置することができ、津波避難タワー１に避難した住民が雨や風をしのぐことができる。さらに、設置された簡易壁３の開放の程度を調節することができ、使用時の通風や採光の状態を調節することができるため、避難した住民の居住性を向上することができる。
【００５８】
なお、本発明においては上述した実施形態に限ることなく、種々の態様をとることが可能である。
【００５９】
図８は、異径棒鋼を示す正面図である。上述した実施形態においては上部吊張手段、下部吊張手段および中央部吊張手段として棒鋼２７ａ、２７ｂ、２７ｃ、２７ｄが用いられているが、これらを図８に示す異径棒鋼としてもよい。
【００６０】
異径棒鋼は、大径部２７１と、小径部２７２が交互に繰り返されて構成されている。そして、カラビナ３２が異径棒鋼に取り付けられた状態において、カラビナ３２は小径部２７２上に位置するとともに、図８に矢印で示す水平方向への動作が左右の大径部２７１に規制される。そのため、棒鋼２７ａ、２７ｂ、２７ｃ、２７ｄに取り付けられた簡易壁３ａ、３ｂが風雨等を受けた際に水平方向に容易にずれることを効果的に防止することができる。
【００６１】
なお、使用者が簡易壁３ａ、３ｂを把持等して水平方向に所定の力以上で動かすことにより、カラビナ３２が大径部２７１を乗り越えることができ、簡易壁３ａ、３ｂを水平方向にスライドすることができる。
【００６２】
また、上述した実施形態においては、連結部材３２としてカラビナ３２を例に挙げたが、本発明においてはこれに限らず、Ｓ字フックやカードリング等も好適に用いることができる。
【００６３】
また、上述した実施形態においては、棒鋼２７ｂおよび棒鋼２７ａはその両端を柱２１ａ、２１ｂにのみ固定されていたが、本発明においてはこれに限らず、棒鋼２７ｂおよび棒鋼２７ａの中間部分が更に梁２２ａ、２２ｂ等に固定されるようにしてもよい。
【００６４】
図９は、棒鋼２７ａ、２７ｂに支持部材２７１ａ、２７１ｂが設けられた様子を示す正面図である。この場合、棒鋼２７ｂには、支持部材２７１ｂが設けられるとともに、梁２２ｂの下部にこの支持部材２７１ｂが固定されることで、棒鋼２７ｂがその中間部分において支持部材２７１ｂを介して梁２２ｂに固定される。
【００６５】
同様に、棒鋼２７ａには、支持部材２７１ａが設けられるとともに、梁２２ａの上部にこの支持部材２７１ａが固定されることで、棒鋼２７ａがその中間部分において支持部材２７１ａを介して梁２２ａに固定される。
【００６６】
これにより、棒鋼２７ｂおよび棒鋼２７ａのたるみが防止されるとともに、取り付けの強度を高めることができる。
【００６７】
また、上述した実施形態においては上部吊張手段および下部吊張手段として線条体である棒鋼等が用いられていたが、本発明においてはこれに限らず、梁２２ａ、２２ｂから突出し、複数の取付孔が形成された部材であってもよい。このような部材の例として、板状の部分を有するＬ形鋼を用いる場合について、図１０を用いて説明する。
【００６８】
図１０は、上部吊張手段および下部吊張手段としての、複数の取付孔が形成されたＬ字鋼を示す正面図である。図１０に示すように、Ｌ字鋼２７５ａ、２７５ｂを梁２２ａ、２２ｂに取り付けた状態において、梁２２ａ、２２ｂから突出する板状の部分には、取付孔２７６ａ、２７６ｂが形成されている。この取付孔２７６ａ、２７６ｂに連結部材３２が取り付けられるとともに、当該連結部材３２を介して簡易壁３が取り付けられる。
【００６９】
このように、上部吊張手段および下部吊張手段として複数の取付孔が形成された板状の部材を用いることにより、上部吊張手段および下部吊張手段を長く設けた場合でも、これらが弛むことがない。また、上部吊張手段および下部吊張手段に取り付けられた簡易壁が風雨を受けることで水平方向にずれることを効果的に防止することができる。
【００７０】
なお、本実施例では、上部吊張手段および下部吊張手段として、板状の部分を有するＬ字鋼を用いたが、取付孔２７６ａ、２７６ｂを設けることができる部材であれば、特に形状は制限されず、一般的な形綱やフラットバーなど様々な形状の部材を用いることができる。また、下部吊張手段として、転落防止のための柵２５ａを用いてもよい。
【符号の説明】
【００７１】
１  津波避難タワー
２  タワー本体
２１ａ、２１ｂ  柱
２２ａ、２２ｂ  梁
２３  最上階避難ステージ
２４  中間層避難ステージ
２７ａ、２７ｂ  棒鋼
２７５ａ、２７５ｂ  Ｌ字鋼
２９  収納庫
３ａ、３ｂ  簡易壁
３２  連結部材
【図１】
2014047541.tif 000003
【図２】
2014047541.tif 000004
【図３】
2014047541.tif 000005
【図４】
2014047541.tif 000006
【図５】
2014047541.tif 000007
【図６】
2014047541.tif 000008
【図７】
2014047541.tif 000009
【図８】
2014047541.tif 000010
【図９】
2014047541.tif 000011
【図１０】
2014047541.tif 000012